(57)【要約】      （修正有）【課題】ノズル付きボトルを収納および運搬するための包装容器とその包装容器用シートを提供する。【解決手段】包装容器１は、右側板４の上端縁を第１折り目４２として連接されてなる第１フラップ４４を備え、第１フラップ４４には、第１折り目４２と平行に、第２折り目４４１および第３折り目４４２が互いに離間して形成され、第２折り目４４１から第３折り目４４２にかけて設けられた２本の切れ目４４４，４４５の間に折り込み部４４７が形成され、第２折り目４４１と第３折り目４４２との中間の位置において、２本の切れ目４４４，４４５から第１フラップ４４の両側縁４４９まで第２折り目４４１と平行に第４折り目４４３が形成され、折り込み部４４７には、第２折り目４４１と第３折り目４４２との中間の位置において、第２折り目４４１と平行して第５折り目４４６が形成されてなる。【選択図】図９
0003216959.tif 000002
【実用新案登録請求の範囲】
【請求項１】
底板と、該底板の周縁から立設して上端が開口を形成してなる側板と、を有する包装容器において、
前記側板の上端縁を第１折り目として連接されてなる第１フラップが設けられ、
前記第１フラップには、前記第１折り目と平行に、第２折り目および第３折り目が前記第３折り目を前記第２折り目よりも先端側に配置されて互いに離間して形成され、
前記第２折り目から前記第３折り目にかけて設けられた２本の切れ目の間に折り込み部が形成され、
前記第２折り目と前記第３折り目との中間の位置において、前記２本の切れ目から前記第１フラップの両側縁まで前記第２折り目と平行に第４折り目が形成され、
前記折り込み部には、前記第２折り目と前記第３折り目との中間の位置において、前記第２折り目と平行して第５折り目が形成されてなる、
ことを特徴とする包装容器。
【請求項２】
前記折り込み部は、前記第２折り目から前記第４折り目までが幅狭に形成され、かつ前記第４折り目から前記第３折り目までが幅広に形成されてなる、
ことを特徴とする請求項１に記載の包装容器。
【請求項３】
前記第５折り目は、前記第３折り目と前記第４折り目との中間の位置に形成されてなる、
ことを特徴とする請求項１または２に記載の包装容器。
【請求項４】
前記第５折り目と前記第３折り目との間隔長さが、前記第２折り目と前記第４折り目との間隔長さと等しく形成されてなる、
ことを特徴とする請求項３に記載の包装容器。
【請求項５】
前記側板が、一の側板、背面板、前記一の側板と対向する他の側板および正面板によって構成されてなり、
前記背面板の上端縁を折り目線として連接され前記開口を閉塞可能な上板と、
前記一の側板に設けられてなる前記第１フラップと、を備えた、
ことを特徴とする請求項１乃至４のいずれかに記載の包装容器。
【請求項６】
前記第１折り目と対向する前記側板の上端縁を第６折り目として連接されてなる第２フラップが設けられ、
前記第２フラップの先端部分には、前記第６折り目と平行に、第７折り目が形成され、
前記第７折り目よりも先端側に凹状のスリットが形成されてなる、
ことを特徴とする請求項１乃至５のいずれかに記載の包装容器。
【請求項７】
前記第１折り目と対向する前記側板の上端縁を第６折り目として連接されてなる第２フラップが設けられ、
前記第２フラップの中央部分には、前記第２フラップよりも幅狭の前記第８折り目の一端を始点、他端を終点として、凹字に型取りされた切れ目によって形成されてなる折り込み保持部を有する、
ことを特徴とする請求項１乃至６のいずれかに記載の包装容器。
【請求項８】
請求項５に記載の包装容器に用いられる展開状態が薄板状の包装容器用シートであって、
前記包装容器用シートは、前記第１フラップが設けられた前記一の側板、前記背面板、前記他の側板、前記正面板、前記上板および前記底板によって構成されてなり、
前記一の側板、前記背面板、前記他の側板、前記正面板、前記上板および前記底板が折り目線によって区画されるとともに連接されて１枚のシートを形成してなる、
ことを特徴とする包装容器用シート。
【考案の詳細な説明】
【技術分野】
【０００１】
本考案は、シャンプーボトルおよびハンドソープボトル等のノズル付きボトルを収納および運搬するための包装容器および包装容器用シートに関する。
【背景技術】
【０００２】
従来の包装容器の一例として、正面板、一側面板、背面板、他側面板からなる外周壁の内方に、内方他側面板と内方背面板との折り目と、コ字状の切れ目の対向する一対の切れ目間を結んで形成された折り目との間隔をそれぞれおいて、内方正面板、内方他側面板、内方背面板および内方一側面板からなる内周壁が形成されてなる包装容器が開示されている（特許文献１参照）。
【先行技術文献】
【特許文献】
【０００３】
【特許文献１】特開２００３−８１２５６号公報
【０００４】
特許文献１には、台紙を打ち抜き、所定の折り目に沿って順に折り込むとともに、所定位置に貼着することによって、緩衝材として機能する内周壁を有する二重構造の包装容器が提案されている。
【０００５】
そのために、左右各端縁に折り目を介してフラップがそれぞれ連設された正面板の下端縁に、一側面板、背面板、他側面板、裏正面板、内方一側面板、内方背面板、内方他側面板、内方正面板および糊代が順に折り目を介して連設されるとともに、一側面板の左右各端縁に、差込みフラップを有する上面板および下面板がそれぞれ折り目を介して連設され、また、背面板の左右各端縁にそれぞれ折り目を介してフラップが連設されている。
【０００６】
さらに、内方背面板と内方他側面板との折り目が略中間部を除いて形成され、また、内方背面板に該内方背面板と内方他側面板との折り目の各終端を始端とするコ字状の切れ目が形成されるとともに、該コ字状の切れ目の対向する一対の切れ目を結んで折り目が形成され、糊代を内方側面板に、コ字状の切れ目の先端部を背面板に、裏正面板を正面板に順次貼着することにより、外周壁と内周壁との二重構造の包装容器が構成されている。
【考案の概要】
【考案が解決しようとする課題】
【０００７】
しかしながら、前述した包装容器は、外周壁と、収納物であるビン容器の外周面を緩衝支持する内周壁とを有する二重構造によって緩衝効果を出すものであるが、ビン容器の外周面の緩衝効果だけの包装容器としては、組み立てに手間が掛かるという課題があった。
【０００８】
また、包装容器の展開状態において、外周壁と内周壁の二重構造を構成するために、正面板、一側面板、背面板、他側面板、裏正面板、内方一側面板、内方背面板、内方他側面板、内方正面板、上面板、下面板、フラップおよび糊代が折り目を介して連設されていることになり、多くの部材から構成されてなることから、材料費および組立加工費が高くつくという問題もあった。
【０００９】
また、ビン容器の外周面の緩衝支持だけのための二重構造となっているに過ぎず、たとえば、シャンプーボトル等のノズル付きボトルを収納する場合、運搬中の振動等によるノズル付きボトルの回転によって起こるノズルの損傷を防ぐための包装容器としては不向きであった。その場合、ノズル保護用に別部材を別途製作しなければならず、取り付けるための手間も掛かっていた。
【課題を解決するための手段】
【００１０】
そこで、前記課題を解決するための手段として本考案に係る包装容器および包装容器用シートは、［１］底板と、該底板の周縁から立設して上端が開口を形成してなる側板と、を有する包装容器において、前記側板の上端縁を第１折り目として連接されてなる第１フラップが設けられ、前記第１フラップには、前記第１折り目と平行に、第２折り目および第３折り目が前記第３折り目を前記第２折り目よりも先端側に配置されて互いに離間して形成され、前記第２折り目から前記第３折り目にかけて設けられた２本の切れ目の間に折り込み部が形成され、前記第２折り目と前記第３折り目との中間の位置において、前記２本の切れ目から前記第１フラップの両側縁まで前記第２折り目と平行に第４折り目が形成され、前記折り込み部には、前記第２折り目と前記第３折り目との中間の位置において、前記第２折り目と平行して第５折り目が形成されてなる、ことを特徴とする包装容器である。
【００１１】
前記第１フラップは、前記第３折り目を略直角に内側に谷折りし、次に、前記第４折り目を略直角に内側に谷折りし、さらに、前記第２折り目を略直角に内側に谷折りし、その状態で前記折り込み部の前記第５折り目を略直角に外側に山折りし、最後に、前記第１折り目を略直角に内側に谷折りすることにより組み立てられる。
【００１２】
組み立てられた前記第１フラップが前記包装容器の内側に折り込まれることにより、前記折り込み部に収納物であるノズル付きボトルのノズルを支持するための第１スリットを形成することができる。
【００１３】
また本考案は、［２］前記折り込み部は、前記第２折り目から前記第４折り目までが幅狭に形成され、かつ前記第４折り目から前記第３折り目までが幅広に形成されてなる、ことを特徴とする［１］に記載の包装容器である。
【００１４】
前記折り込み部が前記幅狭と前記幅広に形成されることにより、前記第１フラップを組み立てた状態において、前記幅狭の部分が前記第１スリットの上側となり、かつ前記幅広の部分が前記第１スリットの下側になるので、前記ノズル付きボトルのノズルを前記第１スリットの下側の前記幅広の部分に挿入し易くなる。また、前記ノズルの外径が大きくなっても前記第１スリットに挿入することができる。
【００１５】
なお、前記折り込み部は、前記第２折り目から前記第３折り目まで同一の幅で形成されていても好ましい。
【００１６】
また本考案は、［３］前記第５折り目は、前記第３折り目と前記第４折り目との中間の位置に形成されてなる、ことを特徴とする［１］または［２］に記載の包装容器である。
【００１７】
また本考案は、［４］前記第５折り目と前記第３折り目との間隔長さが、前記第２折り目と前記第４折り目との間隔長さと等しく形成されてなる、ことを特徴とする［３］に記載の包装容器である。
【００１８】
前記第５折り目が前記第３折り目と前記第４折り目との中間の位置に形成されることにより、前記第１フラップが組み立てられた際に、前記第５折り目を略直角に近い状態で折り込むことができる。
【００１９】
より好ましくは、前記第５折り目と前記第３折り目との間隔長さが、前記第２折り目と前記第４折り目との間隔長さと等しく形成されることにより、前記第１フラップが組み立てられた際に、前記第５折り目を略直角の状態で折り込むことができるので、前記折り込み部および前記第１スリットの矩形形状を安定させることができる。
【００２０】
また本考案は、［５］前記側板が、一の側板、背面板、前記一の側板と対向する他の側板および正面板によって構成されてなり、前記背面板の上端縁を折り目線として連接され前記開口を閉塞可能な上板と、前記一の側板に設けられてなる前記第１フラップと、を備えた、ことを特徴とする［１］乃至［４］のいずれかに記載の包装容器である。
【００２１】
前記包装容器は、前記一の側板、前記背面板、前記他の側板、前記正面板、前記上板および前記底板の六面体からなり、互いを連接する折り目線を介して構成されてなることも好ましい。また、前記正面板には折り目線を介して糊代が連接されていても好ましい。
【００２２】
また、前記包装容器は、前記一の側板、前記背面板、前記他の側板、前記正面板および前記底板を所定の折り目線に沿って順に折り込み、所定位置を貼着することによって立体的に組み立てられる。
【００２３】
このようにしてなる前記包装容器は、包装容器を組み立てた後、前記ノズル付きボトルを収納するとともに、前記ノズル付きボトルのノズルを第１スリットに差し込み、次に、前記開口を前記上板で閉塞することによって、前記ノズル付きボトルを運搬する際に、運搬中の振動による前記ノズル付きボトルの回転を防止することができる。
【００２４】
また本考案は、［６］前記第１折り目と対向する前記側板の上端縁を第６折り目として連接されてなる第２フラップが設けられ、前記第２フラップの先端部分には、前記第６折り目と平行に、第７折り目が形成され、前記第７折り目よりも先端側に凹状のスリットが形成されてなる、ことを特徴とする［１］乃至［５］のいずれかに記載の包装容器である。
【００２５】
前記第２フラップは、前記第７折り目を略直角に内側に谷折りすることにより、前記第７折り目の前記先端側に形成されてなる前記凹状のスリットが内側に折り曲げられ、次に、前記第６折り目を略直角に内側に谷折りすることにより組み立てられる。
【００２６】
組み立てられた前記第２フラップが前記包装容器の内側に折り込まれることにより、前記凹状のスリットが収納物である前記ノズル付きボトルのノズルを支持するための第２スリットを構成することができる。
【００２７】
また本考案は、［７］前記第１折り目と対向する前記側板の上端縁を第６折り目として連接されてなる第２フラップが設けられ、前記第２フラップの中央部分には、前記第２フラップよりも幅狭の前記第８折り目の一端を始点、他端を終点として、凹字に型取りされた切れ目によって形成されてなる折り込み保持部を有する、ことを特徴とする［１］乃至［６］のいずれかに記載の包装容器である。
【００２８】
前記第２フラップは、前記第８折り目を略直角に内側に谷折りすることにより、前記折り込み保持部が内側に折り曲げられ、次に、前記第６折り目を略直角に内側に谷折りすることにより組み立てられる。
【００２９】
組み立てられた前記第２フラップが前記包装容器の内側に折り込まれることにより、前記折り込み保持部が収納物である前記ノズル付きボトルのノズルを支持するための第３スリットを構成することができる。
【００３０】
前記包装容器は、前記第２フラップを組み立てた状態で、収納物である前記ノズル付きボトルのノズルを支持するための前記第２スリットおよび前記第３スリットを構成することができることにより、前記第１スリットと合わせて３個の前記ノズル付きボトルのノズルを支持することができる。
【００３１】
また、前記包装容器は、前記一の側板および前記他の側板のいずれの上端縁にも前記第１フラップ若しくは前記第２フラップが連接されていても好ましい。
【００３２】
また本考案は、［８］として、［５］に記載の包装容器に用いられる展開状態が薄板状の包装容器用シートであって、前記包装容器用シートは、前記第１フラップが設けられた前記一の側板、前記背面板、前記他の側板、前記正面板、前記上板および前記底板によって構成されてなり、前記一の側板、前記背面板、前記他の側板、前記正面板、前記上板および前記底板が折り目線によって区画されるとともに連接されて１枚のシートを形成してなる、ことを特徴とする包装容器用シートである。
【００３３】
前記包装容器用シートは、前記包装容器の展開図に基づいて、プレス型でシートを打ち抜くことにより形成することができる。
【００３４】
前記包装容器用シートは、前記一の側板、前記背面板、前記他の側板、前記正面板および前記底板を所定の折り目線に沿って順に折り込み、所定位置を貼着することによって前記包装容器を立体的に組み立てられるとともに、前記第１フラップを組み立てることによって前記第１スリットを形成し、前記上板を閉塞することにより、前記ノズル付きボトルが回転しないように支持および収納して運搬することができる。
【００３５】
また、前記包装容器は、展開状態において、前記正面板に折り目線を介して連接されてなる糊代が形成されていても好ましい。また、前記一の側板および前記他の側板の下端縁にはそれぞれ左右の下側板フラップが折り目線を介して連接され、さらに、前記底板の下端縁には底板フラップが折り目線を介して連接されていても好ましい。
【００３６】
前記包装容器は、前記一の側板、前記背面板、前記他の側板、前記正面板および前記糊代を所定の折り目線に沿って順に折り込み、所定位置を貼着することにより組み立てて、前記一の側板および前記他の側板のそれぞれの下端縁に連接されてなる下側板フラップの折り目線をそれぞれ略直角に内側に谷折りし、次に、前記底板の折り目線を略直角に内側に谷折りし、さらに、前記底板フラップの折り目線を略直角に内側に谷折りして、前記底板フラップを前記正面板の下端縁の内側に差し込むことにより、前記包装容器の底部を閉じることができる。
【００３７】
さらに、前記底板フラップの折り目線の中央部分には差込用切れ込みが形成され、前記正面板の下端縁の中央部分には前記差込用切れ込みに差し込むための係止用フラップが突出して形成されていても好ましい。前記底部を閉じて、前記係止用フラップを前記差込用切れ込みに差し込むことにより、前記底部を封緘することができる構成となっている。
【００３８】
また、前記包装容器は、展開状態において、前記上板の上端縁には上板フラップが折り目を介して連接されていても好ましい。
【００３９】
前記包装容器は、前記一の側板、前記背面板、前記他の側板、前記正面板および前記糊代を所定の折り目線に沿って順に折り込み、所定位置を貼着することにより組み立てて、次に、前記第１フラップおよび前記第２フラップを組み立て、次に、前記上板の折り目を略直角に内側に谷折りし、さらに、前記上板フラップの折り目を略直角に内側に谷折りし、最後に、前記上板フラップを前記正面板の上端縁の内側に差し込むことにより、前記包装容器の蓋部を閉じることができる。
【００４０】
さらに、前記上板フラップの折り目の中央部分には差込用切れ込みが形成され、前記正面板の上端縁の中央部分には前記差込用切れ込みに差し込むための係止用フラップが突出して形成されていても好ましい。前記蓋部を閉じて、前記係止用フラップを前記差込用切れ込みに差し込むことにより、前記蓋部を封緘することができる構成となっている。
【考案の効果】
【００４１】
本考案の包装容器によれば、第１フラップが第１スリットを形成することにより、包装容器に収納しようとするノズル付きボトルのノズルを支持して、ボトルの回転によるノズルの損傷を防止できることになるので、ノズルを保護する機能を包装容器自体に付与することができる。その結果、包装容器にノズル保護用の別部材を別途製作して取り付ける必要がない。
【００４２】
また本考案の包装容器によれば、第１スリット、第２スリットおよび第３スリットを構成することによって、ノズル付きボトルのノズルを支持するとともに、複数個収納することができるので、運搬中におけるノズル付きボトルの回転および振動等によるノズルの損傷防止に好適な包装容器を提供することができる。
【００４３】
また本考案の包装容器用シートによれば、ノズル支持機能を有する第１スリットに変形可能な第１フラップを１枚のシートに構成することができる。また、包装容器用シートを折り目線に沿って折り込むことにより、簡単に本考案に係る包装容器が組み立てられる。さらに、１枚のシートのために輸送時の省スペース化にも対応ができるので、大量輸送が可能となる。
【図面の簡単な説明】
【００４４】
【図１】本考案の包装容器用シートの一実施例を示し、組み立て前の包装容器用シート１０の展開図である。
【図２】本考案の包装容器用シートの一実施例を示し、図１の右側板４の上端縁に第１折り目４２を介して連接されてなる第１フラップ４４の参考拡大図である。
【図３】本考案の包装容器の一実施例を示し、立体的に組み立てられ、第１フラップ４４および第２フラップ２４を組み立てる前の段階で、上板６が開いた状態の包装容器１の正面図である。
【図４】本考案の包装容器の一実施例を示し、立体的に組み立てられ、第１フラップ４４および第２フラップ２４を組み立てる前の段階で、上板６が開いた状態の包装容器１の平面図である。
【図５】本考案の包装容器の一実施例を示し、立体的に組み立てられ、第１フラップ４４および第２フラップ２４を組み立てる前の段階で、上板６が開いた状態の包装容器１の右側面図である。
【図６】本考案の包装容器の一実施例を示し、立体的に組み立てられ、第１フラップ４４および第２フラップ２４を組み立てる前の段階で、上板６が開いた状態の包装容器１の左側面図である。
【図７】本考案の包装容器の一実施例を示し、図４のＡ−Ａ断面図である。
【図８】本考案の包装容器の一実施例を示し、図７の状態から、第１フラップ４４および第２フラップ２４を組み立てて、上板６を閉じた状態の包装容器１の参考断面図である。
【図９】本考案の包装容器の一実施例を示し、立体的に組み立てられ、第１フラップ４４および第２フラップ２４を組み立てる前の段階で、上板６が開いた状態の包装容器１の参考斜視図である。
【図１０】本考案の包装容器の一実施例を示し、第１フラップ４４の第３折り目４４２及び第４折り目４４３を折り込む途中の状態で、かつ第２フラップ２４が組み立てられた状態を示し、上板６が開いた状態の包装容器１の参考斜視図である。
【図１１】本考案の包装容器の一実施例を示し、図１０の次の段階であり、第１フラップ４４の第３折り目４４２および第４折り目４４３を略直角に内側に谷折りして折り込み、次に、第１フラップ４４の第２折り目４４１を略直角に内側に谷折りして折り込み、さらに、折り込み部４４７の第５折り目４４６を略直角に外側に山折りして折り込んだ状態を示し、上板６が開いた状態の包装容器１の参考斜視図である。
【図１２】本考案の包装容器の一実施例を示し、図１１の次の段階であり、右側板４の上端縁の第１折り目４２を略直角に内側に谷折りして折り込んだ状態を示し、上板６が開いた状態の包装容器１の参考斜視図である。
【図１３】本考案の包装容器の一実施例を示し、包装容器１にノズル付きボトルＢを収納して蓋部を閉じた状態を示す参考斜視図である。
【図１４】本考案の包装容器の一実施例を示し、図８に示した包装容器１にノズル付きボトルＢを３個収納した状態を示す包装容器１の参考拡大断面図である。
【考案を実施するための形態】
【００４５】
以下、本考案に係る包装容器および包装容器用シートの実施の形態について、図１乃至図１４を参照しながら詳しく説明する。
【００４６】
本考案の包装容器用シート１０は、コートボール紙若しくは合成樹脂等の薄板状のシートからなり、図１に示すように、プレス型でシートを打ち抜いて展開状態の１枚のシートで形成されてなり、一の側板である左側板２、背面板３、他の側板である右側板４、正面板５および糊代８が左から右にかけてそれぞれの折り目線２１，３１，４１，５１を介して連接され、背面板３の上端縁に折り目線３２を介して上板６が連接され、背面板３の下端縁に折り目線３３を介して底板７が連接されてなる。
【００４７】
また、左側板２の上端縁には、包装容器１に組み立てた状態で第１折り目４２と対向する第６折り目２２を介して第２フラップ２４が連接され、右側板４の上端縁には、第１折り目４２を介して第１フラップ４４が連接され、上板６の上端縁には、折り目線６１を介して上板フラップ６２が連接され、上板フラップ６２の折り目線６１の中央部分には差込用切れ込み６３が形成されてなる。
【００４８】
また、左側板２および右側板４の下端縁にはそれぞれ下側板フラップ２５，４５が折り目線２３，４３を介して連接され、底板７の下端縁には底板フラップ７２が折り目線７１を介して連接され、底板フラップ７２の折り目線７１の中央部分には差込用切れ込み７３が形成されてなる。
【００４９】
また、正面板５の上端縁の中央部分には差込用切れ込み６３に差し込むための係止用フラップ５２が上端縁から突出して形成されてなる。係止用フラップ５２は、正面板５の上端縁の下側に折り目線５２１を介して連接されてなり、係止用フラップ５２の両側縁にそれぞれ切れ目５２３，５２４を形成することにより、折り目線５２１を支点に折り曲げることができる。さらに、係止用フラップ５２の折り目線５２２が正面板５の上端縁に沿って折り目線５２１と平行して形成されてなる。
【００５０】
また、正面板５の下端縁の中央部分には差込用切れ込み７３に差し込むための係止用フラップ５３が下端縁から突出して形成されてなる。係止用フラップ５３は、正面板５の下端縁の上側に折り目線５３１を介して連接されてなり、係止用フラップ５３の両側縁にそれぞれ切れ目５３３，５３４を形成することにより、折り目線５３１を支点に折り曲げることができる。さらに、係止用フラップ５３の折り目線５３２が正面板５の下端縁に沿って折り目線５３１と平行して形成されてなる。
【００５１】
第２フラップ２４の先端部分には、第６折り目２２と平行して、第７折り目２４２が形成され、第７折り目よりも先端側に凹状のスリット２４５が形成されてなり、第２フラップ２４の中央部分には、第２フラップ２４よりも幅狭の第８折り目２４４の一端を始点、他端を終点として、凹字に型取りされた切れ目２４３によって形成されてなる折り込み保持部２４６が形成されてなる。
【００５２】
第１フラップ４４は、図１および図２に示すように、第１折り目４２と平行して、第２折り目４４１および第３折り目４４２が第３折り目４４２を第２折り目４４１よりも先端側に配置されて互いに離間して形成されてなる。
【００５３】
また、第２折り目４４１から第３折り目４４２にかけて設けられた２本の切れ目４４４，４４５の間に折り込み部４４７が形成され、第２折り目４４１と第３折り目４４２との中間の位置において、２本の切れ目４４４，４４５から第１フラップ４４の両側縁４４８，４４９まで第２折り目４４１と平行して第４折り目４４３，４４３が形成されてなる。
【００５４】
また、折り込み部４４７は、第２折り目４４１から第４折り目４４３までが幅狭に形成され、かつ第４折り目４４３から第３折り目４４２までが幅広に形成されてなり、折り込み部４４７には、第２折り目４４１と第３折り目４４２との中間の位置に、第２折り目４４１と平行して第５折り目４４６が形成されてなる。
【００５５】
また、第５折り目４４６は、第３折り目４４２と第４折り目４４３との中間の位置に形成されてなり、より好ましくは、第３折り目４４２と第４折り目４４３との中間の位置であって、かつ第５折り目４４６と第３折り目４４２との間隔長さが、第２折り目４４１と第４折り目４４３との間隔長さと等しく形成されてなることが好ましい。
【００５６】
本考案の包装容器１は、底板７と、底板７の周縁から立設して上端が開口を形成してなる側板と、を有する包装容器１であって、図３乃至図９に示すように、左側板２、背面板３、右側板４、正面板５および糊代８のそれぞれの折り目線２１，３１，４１，５１を順に略直角に内側に谷折りし、正面板５に折り目線５１を介して連接されてなる糊代８と左側板２の側端縁とを接着剤で貼着する。
【００５７】
次に、左右の下側板フラップ２５，４５の折り目線２３，４３をそれぞれ略直角に内側に谷折りし、さらに、底板７の折り目線３３を略直角に内側に谷折りし、さらに、底板フラップ７２の折り目線７１を略直角に内側に谷折りし、図１０に示すように、底板フラップ７２を正面板５の下端縁の内側に差し込み、係止用フラップ５３を差込用切れ込み７３に差し込んで底部を封緘することにより、閉塞可能な上板６からなる蓋部が開いた状態の包装容器１を立体的に組み立てることができる。
【００５８】
包装容器１の第１フラップ４４の組み立ては、図１０乃至図１２に示すように、第３折り目４４２を略直角に内側に谷折りし、次に、第４折り目４４３を略直角に内側に谷折りし、さらに、第２折り目４４１を略直角に内側に谷折りした状態で折り込み部４４７の第５折り目４４６を略直角に外側に山折りし、最後に、第１折り目４２を略直角に内側に谷折りすることにより組み立てられる。
【００５９】
これにより、組み立てられた第１フラップ４４の折り込み部４４７が包装容器１の内側に折り込まれることになるので、折り込み部４４７に収納物であるノズル付きボトルＢのノズルＮを支持するための第１スリット４４０を形成することができる。
【００６０】
また、折り込み部４４７は、第２折り目４４１から第４折り目４４３までが幅狭に形成され、かつ第４折り目４４３から第３折り目４４２までが幅広に形成されることにより、図１２に示すように、第１フラップ４４を組み立てた状態において、幅狭の部分が第１スリット４４０の上側となり、かつ幅広の部分が第１スリット４４０の下側になるので、ノズル付きボトルＢのノズルＮを第１スリット４４０の下側から挿入し易くなる。
【００６１】
また、第５折り目４４６が第３折り目４４２と第４折り目４４３との中間の位置に形成され、より好ましくは、第５折り目４４６と第３折り目４４２との間隔長さが、第２折り目４４１と第４折り目４４３との間隔長さと等しく形成されることにより、第１フラップ４４が組み立てられた際に、図８に示すように、第５折り目４４６を略直角の状態で折り込むことができるので、折り込み部４４７および第１スリット４４０の矩形形状を安定させることができる。
【００６２】
包装容器１の第２フラップ２４の組み立ては、図１０乃至図１２に示すように、凹状のスリット２４５の第７折り目２４２を略直角に内側に谷折りすることにより第２スリット２４１を構成し、次に、切れ目２４３によって形成されてなる折り込み保持部２４６の第８折り目２４４を略直角に内側に谷折りすることにより第３スリット２４７を構成し、最後に、第２フラップ２４の第６折り目２２を略直角に内側に谷折りすることにより、収納物であるノズル付きボトルＢのノズルＮを支持するための第２スリット２４１および第３スリット２４７を包装容器１の内側に折り込んで組み立てることができる。
【００６３】
このようにしてなる包装容器１は、図１３に示すように、包装容器１にノズル付きボトルＢを収納した際、ノズル付きボトルＢのノズルＮを第１スリット４４０に差し込むことができるので、運搬中に振動等があってもノズルＮの回転を防ぐことができる。
【００６４】
なお、ノズル付きボトルＢを収納後、上板６の折り目線３２を略直角に内側に谷折りし、さらに、上板フラップ６２の折り目線６１を略直角に内側に谷折りし、上板フラップ６２を正面板５の上端縁の内側に差し込み、係止用フラップ５２を差込用切れ込み６３に差し込んで蓋部を封緘することができる。
【００６５】
また、図１４に示すように、ノズル付きボトルＢを３個収納し、それぞれのノズルＮを第１スリット４４０、第２スリット２４１および第３スリット２４７に差し込むことができるので、運搬中に振動等があってもノズル付きボトルＢの回転を止めてノズルＮの損傷を防ぐことができる。
【００６６】
このように本考案によれば、第１スリット４４０、第２スリット２４１および第３スリット２４７にノズル付きボトルＢのノズルＮを支持して収納することができるので、運搬中における回転および振動等によるノズルＮの損傷防止に好適な包装容器１を提供することができる。
【００６７】
また、プレス型でシートを打ち抜くことにより、左側板２、背面板３、右側板４、正面板５、糊代８、上板６、底板７、第１フラップ４４および第２フラップ２４が折り目線２１，３１，４１，５１，３２，３３、第１折り目４２および第６折り目２２によって区画されてなるとともに連接されてなる１枚のシートを容易に製作することができ、かつ簡単に組み立てることができるので、材料費および組立加工費を廉価にすることが可能な包装容器用シート１０を提供することができる。
【符号の説明】
【００６８】
１    包装容器
１０    包装容器用シート
２    左側板
２２    第６折り目
２４    第２フラップ
２４１    第２スリット
２４２    第７折り目
２４３    切れ目
２４４    第８折り目
２４５    凹状のスリット
２４６    折り込み保持部
２４７    第３スリット
３    背面板
４    右側板
４１    折り目線
４２    第１折り目
４３    折り目線
４４    第１フラップ
４４０    第１スリット
４４１    第２折り目
４４２    第３折り目
４４３    第４折り目
４４４    切れ目
４４５    切れ目
４４６    第５折り目
４４７    折り込み部
４４８    側縁
４４９    側縁
５    正面板
６    上板
７    底板
８    糊代
Ｂ    ノズル付きボトル
Ｎ    ノズル
【図１】
0003216959.tif 000003
【図２】
0003216959.tif 000004
【図３】
0003216959.tif 000005
【図４】
0003216959.tif 000006
【図５】
0003216959.tif 000007
【図６】
0003216959.tif 000008
【図７】
0003216959.tif 000009
【図８】
0003216959.tif 000010
【図９】
0003216959.tif 000011
【図１０】
0003216959.tif 000012
【図１１】
0003216959.tif 000013
【図１２】
0003216959.tif 000014
【図１３】
0003216959.tif 000015
【図１４】
0003216959.tif 000016